(57)【特許請求の範囲】
【請求項１】
外部からの入力を受け付ける操作部と、前記入力に対するアプリケーションの処理結果を表示する表示部と、前記操作部が前記入力を受け付けた後、予め定められた待機時間の経過後に前記表示部のバックライトを消灯して省電力モードに移行させる省電力モード移行部と、前記操作部、前記表示部および前記省電力モード移行部を制御する制御部とを備え、
前記制御部は、前記表示部にアプリケーションの処理結果を表示すべき有効な入力を前記操作部が受け付けた場合は、前記有効な入力を前記操作部が受け付けた時点から予め定められた有効入力時待機時間を経過したとき、前記省電力モード移行部に前記省電力モードに移行させ、一方、前記有効な入力以外の無効な入力を前記操作部が受け付けた場合は、前記無効な入力を前記操作部が受け付けた時点から予め定められた無効入力時待機時間を経過したとき、前記省電力モード移行部に前記省電力モードに移行させ、前記有効入力時待機時間は、前記無効入力時待機時間よりも長く、
前記有効な入力を前記操作部が受け付けた後、前記無効な入力を前記操作部が受け付けた場合は、前記有効な入力を前記操作部が受け付けた時点から予め定められた有効入力時待機時間を経過したとき、前記省電力モード移行部に前記省電力モードに移行させることを特徴とする端末装置。
【請求項２】
前記制御部は、前記有効な入力を前記操作部が受け付けた後、前記無効な入力を前記操作部が受け付けた場合は、前記無効な入力を前記操作部が受け付けた時点から予め定められた無効入力時待機時間を経過したとき、前記省電力モード移行部に前記省電力モードに移行させる請求項１に記載の端末装置。
【請求項３】
前記制御部は、前記有効な入力を前記操作部が受け付けた場合において、前記有効な入力を前記操作部が受け付けた時点から予め定められた半省電力モード待機時間までの間に、前記表示部に前記処理結果が表示されないときは、前記省電力モード移行部に前記バックライトの輝度を前記表示部の表示内容が確認できる予め定められた値に下げて半省電力モードに移行させ、その後、前記表示部に前記処理結果が表示されたとき、前記省電力モード移行部に前記バックライトの輝度を元に戻して通常電力モードに移行させる請求項１または２に記載の端末装置。
【請求項４】
前記表示部は、タッチパネルを備え、前記入力は、前記タッチパネルによる入力を含む請求項１〜３のいずれか１つに記載の端末装置。
【請求項５】
前記操作部は、物理的な入力キーを備え、前記入力は、前記入力キーによる入力を含む請求項１〜４のいずれか１つに記載の端末装置。
【請求項６】
前記端末装置は、携帯型の端末装置である請求項１〜５のいずれか１つに記載の端末装置。
【請求項７】
表示部にアプリケーションの処理結果を表示すべき有効な入力を操作部が受け付けた場合は、前記有効な入力を前記操作部が受け付けた時点から予め定められた有効入力時待機時間を経過したとき、前記表示部のバックライトを消灯して省電力モードに移行し、一方、前記有効な入力以外の無効な入力を前記操作部が受け付けた場合は、前記無効な入力を前記操作部が受け付けた時点から予め定められた無効入力時待機時間を経過したとき、前記省電力モードに移行し、前記有効入力時待機時間は、前記無効入力時待機時間よりも長く、
前記有効な入力を前記操作部が受け付けた後、前記無効な入力を前記操作部が受け付けた場合は、前記有効な入力を前記操作部が受け付けた時点から予め定められた有効入力時待機時間を経過したとき、前記省電力モードに移行することを特徴とする省電力制御方法。
【発明の詳細な説明】
【技術分野】
【０００１】
この発明は、端末装置およびその省電力制御方法に関する。
【背景技術】
【０００２】
従来、ハンディターミナル、スマートフォン、タブレット端末またはパーソナルコンピュータ（ＰＣ）等の端末装置において、キー入力等の操作が一定時間おこなわれなかった場合、消費電力の節約のために、ディスプレイの表示を一時的にＯＦＦにするなどの省電力モードに移行する機能（以下、「省電力機能」と呼ぶ）を有するものが知られている。
【０００３】
また、操作に必要な部分のみバックライトを点灯させ、操作終了後、一定時間を経過したときにバックライトを消灯させる省電力機能を有する携帯電話装置の発明も提案されている（例えば、特許文献１を参照）。
【先行技術文献】
【特許文献】
【０００４】
【特許文献１】特開２００９−０２７７１３号公報
【発明の概要】
【発明が解決しようとする課題】
【０００５】
しかしながら、従来の省電力機能は、入力内容によらず、最後に入力した時点から一定時間が経過すると省電力モードに移行するため、入力後、ユーザーが必要な情報を見ているにも関わらず、画面が途中で消えてしまうことがある。
また、携帯端末の場合、かばんやポケットなどに携帯端末を入れて歩いている途中で、かばんやポケットに携帯端末の入力キーが接触して省電力モードへの移行が妨げられることにより、長時間画面が消えずに無駄に電池を消耗してしまうこともある。
【０００６】
この発明は、以上のような事情を考慮してなされたものであって、その目的は、入力内容に応じて、省電力モードへの移行処理が異なる端末装置およびその省電力制御方法を提供することにある。
【課題を解決するための手段】
【０００７】
この発明は、外部からの入力を受け付ける操作部と、前記入力に対するアプリケーションの処理結果を表示する表示部と、前記操作部が前記入力を受け付けた後、予め定められた待機時間の経過後に前記表示部のバックライトを消灯して省電力モードに移行させる省電力モード移行部と、前記操作部、前記表示部および前記省電力モード移行部を制御する制御部とを備え、前記制御部は、前記表示部にアプリケーションの処理結果を表示すべき有効な入力を前記操作部が受け付けた場合は、前記有効な入力を前記操作部が受け付けた時点から予め定められた有効入力時待機時間を経過したとき、前記省電力モード移行部に前記省電力モードに移行させ、一方、前記有効な入力以外の無効な入力を前記操作部が受け付けた場合は、前記無効な入力を前記操作部が受け付けた時点から予め定められた無効入力時待機時間を経過したとき、前記省電力モード移行部に前記省電力モードに移行させ、前記有効入力時待機時間は、前記無効入力時待機時間よりも長いことを特徴とする端末装置を提供するものである。
また、この発明は、表示部にアプリケーションの処理結果を表示すべき有効な入力を操作部が受け付けた場合は、前記有効な入力を前記操作部が受け付けた時点から予め定められた有効入力時待機時間を経過したとき、前記表示部のバックライトを消灯して省電力モードに移行し、一方、前記有効な入力以外の無効な入力を前記操作部が受け付けた場合は、前記無効な入力を前記操作部が受け付けた時点から予め定められた無効入力時待機時間を経過したとき、前記省電力モードに移行し、前記有効入力時待機時間は、前記無効入力時待機時間よりも長いことを特徴とする省電力制御方法を提供するものである。
【発明の効果】
【０００８】
この発明によれば、表示部にアプリケーションの処理結果を表示すべき有効な入力をした場合は、省電力モードに移行するまでの時間が無効な入力時よりも長いため、ユーザーは必要な情報を十分に確認することができて利便性が高く、一方、無効な入力をした場合は、有効な入力時よりも短時間で省電力モードに移行するため、高い省電力効果を有する端末装置およびその省電力制御方法を実現する。
【図面の簡単な説明】
【０００９】
【図１】この発明の第１実施形態に係る携帯端末の概略構成のブロック図である。（実施形態１）
【図２】図１に示す携帯端末の外観構成の一例を示す説明図である。（実施形態１）
【図３】図１に示す携帯端末の省電力モードへの移行処理を示すフローチャートである。（実施形態１）
【図４】図１に示す携帯端末において、有効キーを入力した場合の省電力モードへの移行処理の一例を示す説明図である。図４（Ａ）は、有効キーの入力、図４（Ｂ）は、有効キーの入力結果、図４（Ｃ）は、省電力モードへの移行を示す。（実施形態１）
【図５】図１に示す携帯端末において、無効キーを入力した場合の省電力モードへの移行処理の一例を示す説明図である。図５（Ａ）は、無効キーの入力、図５（Ｂ）は、無効キーの入力結果、図５（Ｃ）は、省電力モードへの移行を示す。（実施形態１）
【図６】図１に示す携帯端末において、有効キーを入力した後で無効キーを入力した場合の省電力モードへの移行処理の一例を示す説明図である。図６（Ａ）は、有効キーの入力、図６（Ｂ）は、無効キーの入力、図６（Ｃ）は、省電力モードへの移行を示す。（実施形態１）
【図７】この発明の第２実施形態に係る携帯端末の概略構成のブロック図である。（実施形態２）
【図８】図７に示す携帯端末の省電力モードへの移行処理を示すフローチャートである。（実施形態２）
【図９】図７に示す携帯端末において、有効キーを入力した後で無効キーを入力した場合の省電力モードへの移行処理の一例を示す説明図である。図９（Ａ）は、有効キーの入力、図９（Ｂ）は、無効キーの入力、図９（Ｃ）は、省電力モードへの移行を示す。（実施形態２）
【図１０】この発明の第１実施形態に係る携帯端末の概略構成のブロック図である。（実施形態３）
【図１１】図１０に示す携帯端末の省電力モードへの移行処理を示すフローチャートである。（実施形態３）
【図１２】図１０に示す携帯端末の省電力モードへの移行処理を示すフローチャートである。（実施形態３）
【図１３】図１０に示す携帯端末において、有効キーを入力した後で処理時間が長い場合の省電力モードへの移行処理の一例を示す説明図である。図１３（Ａ）は、有効キーの入力、図１３（Ｂ）は、半省電力モードへの移行、図１３（Ｃ）は、処理完了画面の表示、図１３（Ｄ）は、省電力モードへの移行を示す。（実施形態３）
【発明を実施するための形態】
【００１０】
以下、図面を用いてこの発明をさらに詳述する。なお、以下の説明は、すべての点で例示であって、この発明を限定するものと解されるべきではない。
なお、以下の実施形態では、主として、この発明の端末装置の１つの形態である携帯端末の構成と動作について説明する。
【００１１】
〔第１実施形態〕
＜携帯端末１の構成＞
以下、図１に基づき、この発明の第１実施形態に係る携帯端末１の構成を説明する。
図１は、この発明の第１実施形態に係る携帯端末１の概略構成のブロック図である。図２は、図１に示す携帯端末１の外観構成の一例を示す説明図である。
【００１２】
図１に示すように、この発明の携帯端末１は、中央処理装置１００、主記憶装置２００、通信装置３００、キーボード装置４００、表示装置５００、クロック装置６００、サブクロック装置６１０、バーコードリード装置７００および電源装置８００を備える。
【００１３】
第１実施形態において、この発明の「操作部」は、キーボード装置４００およびタッチパネル部５１０によって実現する。また、この発明の「表示部」は、表示ビットマップ記憶部２２０および表示装置５００の協働によって実現する。また、この発明の「省電力モード移行部」は、中央処理装置１００、有効キー記憶部２３０、有効入力時待機時間記憶部２４０、無効入力時待機時間記憶部２５０、待ち時間記憶部２６０、有効入力時優先モード記憶部２７０、バックライト部５３０、クロック装置６００およびサブクロック装置６１０の協働によって実現する。また、この発明の「制御部」は、中央処理装置１００および制御プログラム記憶部２１０の協働によって実現する。
【００１４】
以下、図１に示す各構成要素を説明する。
携帯端末１は、各種の情報を受信可能な通信機能を有する携帯端末であり、例えば、携帯電話、ＰＨＳ、ＰＤＡ、タブレット端末、ノートパソコン、携帯型ナビゲーション装置などの携帯型の端末装置１０を利用することができる。
【００１５】
中央処理装置１００は、携帯端末１の各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等の制御プログラム記憶部２１０に予め記憶された制御プログラムに基づいて、各ハードウェアを有機的に動作させて、後述するようなこの発明の省電力移行処理を実行する。
【００１６】
主記憶装置２００は、携帯端末１の各種機能を実現するために必要な情報や、制御プログラム、表示データ、有効キー、各種設定時間などを記憶する部分であり、ＲＡＭやＲＯＭ等の半導体素子、ハードディスク、フラッシュメモリ等の記憶媒体が用いられる。
主記憶装置２００は、制御プログラム記憶部２１０、表示ビットマップ記憶部２２０、有効キー記憶部２３０、有効入力時待機時間記憶部２４０、無効入力時待機時間記憶部２５０、待ち時間記憶部２６０および有効入力時優先モード記憶部２７０を備える。
【００１７】
制御プログラム記憶部２１０は、中央処理装置１００によって実行されるプログラムを記憶する部分である。プログラムはキーボード装置４００やタッチパネル部５１０からユーザーの指示を受けて処理をおこなう。
【００１８】
表示ビットマップ記憶部２２０は、表示装置５００が表示するビットマップを記憶する部分である。
【００１９】
有効キー記憶部２３０は、キーボード装置４００やタッチパネル部５１０において、有効な入力キー（以下、「有効キー」と呼ぶ）の情報を記憶する部分である。
なお、有効キーであるか否かは、入力に対しアプリケーションの処理結果を表示すべきか否かによって決まるため、動作中のアプリケーションによっても異なる。通常、アプリケーション（またはアプリケーションと中央処理装置１００との協働）により判断される。また、ユーザーが有効キーを事前に設定するようにしてもよい。
【００２０】
有効入力時待機時間記憶部２４０は、有効キーが入力された場合、有効キーが入力された時点から省電力モードに移行するまでの待機時間（以下、「有効入力時待機時間Ｔ１」と呼ぶ）を記憶する部分である。なお、省電力モードの詳細については後述する。
【００２１】
無効入力時待機時間記憶部２５０は、有効キー記憶部２３０に記憶されていない入力キー（以下、「無効キー」と呼ぶ）が入力された場合、無効キーが入力された時点から省電力モードに移行するまでの待機時間（以下、「無効入力時待機時間Ｔ２」と呼ぶ）を記憶する部分である。
なお、タッチパネル部５１０での入力において、入力キーが表示されていない領域（例えば、アイコンの間や表示画面の端や隅の部分）を指先やペン先で入力した場合も、「無効キーの入力」に相当するものとする。
【００２２】
通信装置３００は、無線ＬＡＮなどのネットワークを介して、外部のサーバー９００と通信しデータ交換をおこなう装置である。
通信装置３００とサーバー９００とをつなぐネットワークとしては、ＬＡＮ、インターネットなどの広域ネットワーク（ＷＡＮ）、専用の通信回線など、いずれのネットワークを利用してもよい。
【００２３】
キーボード装置４００は、ユーザーが携帯端末１の操作や文字・数字入力をおこなうためのインターフェイスである。ユーザーはキーボード装置４００を操作することによって、携帯端末１に対する指示を実行する。
【００２４】
表示装置５００は、外部へ各種情報の表示をおこなう装置である。また、表示装置５００は、直前に入力を受け付けた時点から事前に設定された待機時間を経過するとスリープ等の省電力モードに入るよう、中央処理装置１００に制御される。
表示装置５００は、タッチパネル部５１０、表示部５２０およびバックライト部５３０を備える。
【００２５】
タッチパネル部５１０は、例えば、表示部５２０の表示面に透明なタッチパネルを貼り付けることによって構成され、ユーザーがタッチパネルの表面に指先またはペン先で触れたとき、その指先またはペン先の位置情報を検出することによって表示部５２０の表示内容に応じた操作をおこなう部分である。位置検出の方式としては、例えば、電子式、静電式および光学式などがある。
【００２６】
表示部５２０は、外部へ各種情報の表示をおこなう部分である。表示部５２０は、例えば、ＣＲＴディスプレイ、液晶ディスプレイ、ＥＬディスプレイなどで構成され、オペレーティングシステムやアプリケーションソフトウェアが処理状態などの電子的なデータを表示するためのモニタやラインディスプレイなどである。
【００２７】
バックライト部５３０は、表示部５２０の背面から液晶を照明する部分である。バックライト部５３０の光源としては、例えば、ＬＥＤや冷陰極蛍光ランプ（ＣＣＦＬ）などが用いられる。また、直下型方式、エッジライト方式その他の方式を用いてもよい。
【００２８】
クロック装置６００およびサブクロック装置６１０は、携帯端末１の各種処理の経過時間を計測する部分であり、キーの入力後、中央処理装置１００により設定された待機時間が経過したとき、中央処理装置１００に待機時間の経過を通知する。クロック装置６００およびサブクロック装置６１０から通知を受信した中央処理装置１００は、携帯端末１を省電力モードに移行させる。
【００２９】
バーコードリード装置７００は、例えば、商品または商品の包装紙等に付された１次元バーコードやＱＲコード（登録商標）等の２次元バーコードを光学的に読み取ることによって商品情報を取得する部分である。
【００３０】
電源装置８００は、外部の交流電源を直流に変換して携帯端末１の各部分に電源を供給する部分である。電源装置８００としては、例えば、ＡＴ電源、ＡＴＸ電源またはＳＦＸ電源などが用いられる。
【００３１】
サーバー９００は、商品コードと、当該商品コードに対応する商品の商品名と在庫数を記憶し管理する装置であり、ネットワークを介して携帯端末１と通信をおこない、要求された情報を提供する。
【００３２】
＜携帯端末１の外観構成＞
次に、図２に基づき、この発明の携帯端末１の外観構成について説明する。
図２に示すように、この発明の携帯端末１の外観構成は、上から順にバーコードリード装置７００、表示装置５００およびキーボード装置４００から構成される。
【００３３】
以下、図２に示す各構成要素を説明する。
ＴＲＧキー４１０は、バーコードリード装置７００から商品コードの読み取り操作を実行するためのキーである。
電源キー４２０は、携帯端末１の電源をＯＮまたはＯＦＦにしたり、携帯端末１を省電力モードまたは半省電力モードから復帰させたりするためのキーである。
ＯＫキー４３０は、携帯端末１の各種処理の入力を完了させるためのキーである。
カーソルキー４４０は、表示部５２０に表示されたカーソルや選択項目を左右上下に移動させるためのキーである。
テンキー４５０は、数字を入力するためのキーである。
商品コード表示部５６０は、バーコードリード装置７００やキーボード装置４００から入力された商品コードを表示する部分である。
在庫数表示部５７０は、サーバー９００から返送された商品コードに対応する商品の在庫数を表示する部分である。
商品名表示部５８０は、サーバー９００から返送された商品コードに対応する商品の商品名を表示する部分である。
照会キー５９０は、商品コード表示部５６０に表示された商品コードに対応する商品の商品名と在庫数をサーバー９００に問い合わせる処理を実行するためのキーである。
【００３４】
＜携帯端末１の処理の具体例＞
次に、図３に基づき、実施形態１に係る携帯端末１の処理の具体例について説明する。
図３は、図１に示す携帯端末１の省電力モードへの移行処理を示すフローチャートである。
【００３５】
最初に、ステップＳ１において、中央処理装置１００は、電源キー４２０が入力されたとき（ステップＳ１）、続くステップＳ２において、携帯端末１が起動し、または省電力モードから復帰する（ステップＳ２）。
【００３６】
次に、ステップＳ３において、中央処理装置１００は、無効入力時待機時間Ｔ２をクロック装置６００に設定する（ステップＳ３）。
【００３７】
次に、ステップＳ４において、中央処理装置１００は、携帯端末１のキーボード装置４００およびタッチパネル部５１０のキーのうち、有効キーが入力されたか否かを判定する（ステップＳ４）。
有効キーが入力された場合（ステップＳ４の判定がＹｅｓの場合）、ステップＳ５において、中央処理装置１００は、有効入力時待機時間Ｔ１をクロック装置６００に設定した後（ステップＳ５）、続くステップＳ６において、指定された処理を実行する（ステップＳ６）。
一方、有効キーが入力されていない場合（ステップＳ４の判定がＮｏの場合）、中央処理装置１００は、ステップＳ７において、無効キーが入力されたか否かを判定する（ステップＳ７）。
【００３８】
ステップＳ７において、無効キーが入力された場合（ステップＳ７の判定がＹｅｓの場合）、中央処理装置１００は、ステップＳ８において、無効入力時待機時間Ｔ２をクロック装置６００に設定する（ステップＳ８）。その後、中央処理装置１００は、ステップＳ９の判定をおこなう（ステップＳ９）。
一方、無効キーが入力されなかった場合（ステップＳ７の判定がＮｏの場合）、中央処理装置１００は、ステップＳ９の処理をおこなう（ステップＳ９）。
【００３９】
次に、ステップＳ９において、中央処理装置１００は、クロック装置６００から通知があったか否かを判定する（ステップＳ９）。
なお、有効キーも無効キーも入力されていない場合（ステップＳ４の判定がＮｏで、かつ、ステップＳ７の判定もＮｏの場合）は、クロック装置６００は、例えば、携帯端末１が起動し、または省電力モードから復帰した時点から予め定められた待機時間後に通知をおこなうものとする。
【００４０】
ステップＳ９において、クロック装置６００から通知があった場合（ステップＳ９の判定がＹｅｓの場合）、中央処理装置１００は、ステップＳ１０において、携帯端末１を省電力モードに移行させる（ステップＳ１０）。その後、中央処理装置１００は、ステップＳ１の処理を繰り返す（ステップＳ１）
一方、クロック装置６００から通知がない場合（ステップＳ９の判定がＮｏの場合）、中央処理装置１００は、ステップＳ４の判定を繰り返す（ステップＳ４）。
【００４１】
＜携帯端末１の省電力モード移行処理の一例＞
次に、図４〜図６に基づき、実施形態１に係るこの発明の携帯端末１の省電力モード移行処理の一例を説明する。
図４は、図１に示す携帯端末１において、有効キーを入力した場合の省電力モードへの移行処理の一例を示す説明図である。図４（Ａ）は、有効キーの入力、図４（Ｂ）は、有効キーの入力結果、図４（Ｃ）は、省電力モードへの移行を示す。図５は、図１に示す携帯端末１において、無効キーを入力した場合の省電力モードへの移行処理の一例を示す説明図である。図５（Ａ）は、無効キーの入力、図５（Ｂ）は、無効キーの入力結果、図５（Ｃ）は、省電力モードへの移行を示す。図６は、図１に示す携帯端末１において、有効キーを入力した後で無効キーを入力した場合の省電力モードへの移行処理の一例を示す説明図である。図６（Ａ）は、有効キーの入力、図６（Ｂ）は、無効キーの入力、図６（Ｃ）は、省電力モードへの移行を示す。
【００４２】
なお、以下の説明においては、携帯端末１として商品の在庫照会用のハンディターミナルを例に説明する。
【００４３】
＜有効キーが入力された場合の処理＞
図４は、有効キーが入力された場合の処理を示す。
図４（Ａ）において、ユーザーが電源キー４２０を入力すると、表示装置５００に所定の画面が表示される。ここで、ユーザーが商品または商品の包装紙等に付されたバーコードにバーコードリード装置７００を向けてＴＲＧキー４１０を入力したとする。このとき、バーコードリード装置７００から商品コード「４９１２３４５６１２３４５６」が入力され、商品コード表示部５６０に表示される。
【００４４】
ここで、ユーザーが有効キー（照会キー５９０）を入力すると、商品コードが通信装置３００からサーバー９００に送信される。その後、当該商品コードに対応する商品の商品名と在庫数がサーバー９００からすぐに返送され、図４（Ｂ）に示すように、在庫数表示部５７０に在庫数「８８」が、商品名表示部５８０に商品名「缶コーヒー」が表示される。
【００４５】
その後、有効キーが入力された時点から有効入力時待機時間Ｔ１が経過すると、タッチパネル部５１０、表示部５２０およびバックライト部５３０への電源がＯＦＦになり、図４（Ｃ）に示すように、表示装置５００の表示が消える。また同時に、中央処理装置１００は、携帯端末１の各装置の消費電力を最低のモードに移行させる。以下、このような状態を「省電力モード」と呼ぶ。
【００４６】
＜無効キーが入力された場合の処理＞
図５は、無効キーが入力された場合の処理を示す。
図５（Ａ）において、ユーザーが電源キー４２０を入力すると、表示装置５００に所定の画面が表示される。ここで、ユーザーが無効キーを入力（図５（Ａ）においては、在庫数表示部５７０と照会キー５９０との間の領域を指先で触れる場合に相当）すると、図５（Ｂ）に示すように、表示装置５００には、入力結果は何も表示されない。
【００４７】
その後、無効キーが入力された時点から無効入力時待機時間Ｔ２が経過すると、図５（Ｃ）に示すように、中央処理装置１００は、携帯端末１を省電力モードに移行させる。
【００４８】
＜有効キーが入力された後に無効キーが入力された場合の処理＞
図６は、有効キーが入力された後に無効キーが入力された場合の処理を示す。
図６（Ａ）において、ユーザーが電源キー４２０を入力すると、表示装置５００に所定の画面が表示される。ここで、ユーザーがＴＲＧキー４１０を入力して、バーコードリード装置７００から商品コード「４９１２３４５６１２３４５６」を入力すると、商品コード表示部５６０にその商品コードが表示される。
【００４９】
次に、ユーザーが照会キー５９０を入力すると、通信装置３００を介して商品コードがサーバー９００に送信される。その後、当該商品コードに対応する商品の商品名と在庫数がサーバー９００からすぐに返送され、図６（Ｂ）に示すように在庫数表示部５７０に在庫数「８８」が、商品名表示部５８０に商品名「缶コーヒー」が表示される。
【００５０】
その後、図６（Ｂ）に示すように、無効キーが入力されたとする。このとき、有効キーの入力の有無に関わらず、無効キーが入力された時点から無効入力時待機時間Ｔ２が経過すると、図６（Ｃ）に示すように、中央処理装置１００は、携帯端末１を省電力モードに移行させる。
【００５１】
このようにして、ユーザーが有効な入力をした後で、かばんやポケットなどに携帯端末１をしまいこんだ場合、無効な入力時から短時間で省電力モードに移行する。それゆえ、かばんやポケットなどに携帯端末を入れて歩いている途中で、かばんやポケットに携帯端末の入力キーが接触して省電力モードへの移行が妨げられることにより、長時間画面が消えずに無駄に電池を消耗してしまうことを防止できる。特に、有効キー全体の面積よりも、無効キー全体の面積が大きい場合に、このような偶発的な接触に起因する電力消費を大きく抑えることができる。
【００５２】
〔第２実施形態〕
次に、図７〜図９に基づき、実施形態２に係るこの発明の携帯端末１の省電力モード移行処理の一例を説明する。
図７は、この発明の第２実施形態に係る携帯端末の概略構成のブロック図である。図８は、図７に示す携帯端末の省電力モードへの移行処理を示すフローチャートである。図９は、図７に示す携帯端末において、有効キーを入力した後で無効キーを入力した場合の省電力モードへの移行処理の一例を示す説明図である。図９（Ａ）は、有効キーの入力、図９（Ｂ）は、無効キーの入力、図９（Ｃ）は、省電力モードへの移行を示す。
【００５３】
＜携帯端末１の構成＞
以下、図７に基づき、この発明の第２実施形態に係る携帯端末１の構成を説明する。
なお、図７の携帯端末１の構成は、主記憶装置２００が有効入力時優先モード記憶部２７０を備える以外、図１の携帯端末１の構成と同一である。
それゆえ、図１の携帯端末と共通の構成については説明を省略し、ここでは、図１に記載のない有効入力時優先モード記憶部２７０について説明する。
【００５４】
有効入力時優先モード記憶部２７０は、有効キーの入力後、無効キーが入力された場合において、省電力モードへの移行について、有効キーの入力時を無効キーの入力時よりも優先すべきモードであるか否かのフラグを記憶する部分である。
有効入力時優先モードがＯＮのとき、有効キーの入力時を無効キーの入力時よりも優先させ、有効入力時優先モードがＯＦＦのとき、無効キーの入力時を有効キーの入力時よりも優先させるものとする。
【００５５】
＜携帯端末１の処理の具体例＞
次に、図８に基づき、この発明の実施形態２に係る携帯端末１の処理の具体例について説明する。
なお、図７のステップＳ１１〜Ｓ１３，Ｓ１５，Ｓ１６，Ｓ１８，Ｓ１９およびＳ２１〜Ｓ２３の処理は、それぞれ図３のステップＳ１〜Ｓ１０と同一であるため、説明を省略する。
ここでは、図３に記載のないステップＳ１４，Ｓ１７およびＳ２０の処理について説明する。
【００５６】
ステップＳ１３において、無効入力時待機時間Ｔ２をクロック装置６００に設定した後（ステップＳ１３）、中央処理装置１００は、続くステップＳ１４において、有効入力時優先モード記憶部２７０の設定をＯＦＦにする（ステップＳ１４）。
【００５７】
また、ステップＳ１６において、有効入力時待機時間Ｔ１をクロック装置６００に設定した後（ステップＳ１６）、中央処理装置１００は、続くステップＳ１７において、有効入力時優先モード記憶部２７０の設定をＯＮにする（ステップＳ１７）。
【００５８】
また、ステップＳ１９において、無効キーが入力された場合（ステップＳ１９の判定がＹｅｓの場合）、中央処理装置１００は、ステップＳ２０において、有効入力時優先モード記憶部２７０の設定がＯＮであるか否かを判定する（ステップＳ２０）。
有効入力時優先モード記憶部２７０の設定がＯＮの場合（ステップＳ２０の判定がＹｅｓの場合）、中央処理装置１００は、ステップＳ２２の判定をおこなう（ステップＳ２２）。
一方、有効入力時優先モード記憶部２７０の設定がＯＦＦの場合（ステップＳ２０の判定がＮｏの場合）、中央処理装置１００は、ステップＳ２１の処理をおこなう（ステップＳ２１）。
【００５９】
＜有効キーが入力された後に無効キーが入力された場合の処理＞
図９は、有効キーが入力された後に無効キーが入力された場合の処理を示す。
なお、図９（Ａ）および図９（Ｂ）の処理は、それぞれ図６（Ａ）および図６（Ｂ）の処理と同一であるため、詳細な説明を省略する。
ここでは、図６に記載のない図９（Ｃ）の処理について説明する。
【００６０】
図９（Ａ）および図９（Ｂ）に示すように、有効キーが入力された後で、無効キーが入力されたとする。このとき、無効キーの入力の有無に関わらず、有効入力時待機時間Ｔ１が経過すると、図９（Ｃ）に示すように、中央処理装置１００は、携帯端末１を省電力モードに移行させる。
【００６１】
このようにして、ユーザーが有効な入力をした後で間違って無効な入力をしてしまった場合でも、有効な入力時を基準として省電力モードに移行するため、ユーザーは必要な情報を十分に確認することができ、利便性が高い携帯端末１を実現できる。
【００６２】
〔第３実施形態〕
次に、図１０〜図１３に基づき、実施形態２に係るこの発明の携帯端末１の省電力モード移行処理の一例を説明する。
図１０は、この発明の第１実施形態に係る携帯端末の概略構成のブロック図である。図１１は、図１０に示す携帯端末の省電力モードへの移行処理を示すフローチャートである。図１２は、図１０に示す携帯端末の省電力モードへの移行処理を示すフローチャートである。図１３は、図１０に示す携帯端末において、有効キーを入力した後で処理時間が長い場合の省電力モードへの移行処理の一例を示す説明図である。図１３（Ａ）は、有効キーの入力、図１３（Ｂ）は、半省電力モードへの移行、図１３（Ｃ）は、処理完了画面の表示、図１３（Ｄ）は、省電力モードへの移行を示す。
【００６３】
＜携帯端末１の構成＞
以下、図１０に基づき、この発明の第３実施形態に係る携帯端末１の構成を説明する。
なお、図１０の携帯端末１の構成は、主記憶装置２００が半省電力モード待機時間記憶部２６０を備える以外、図１の携帯端末１の構成と同一である。
それゆえ、図１の携帯端末と共通の構成については説明を省略し、ここでは、図１に記載のない半省電力モード待機時間記憶部２６０について説明する。
【００６４】
半省電力モード待機時間記憶部２６０は、有効キーの入力後、アプリケーションの処理に時間がかかる場合、有効キーが入力された時点から半省電力モードに移行するまでの待機時間（以下、「半省電力モード待機時間Ｔ３」と呼ぶ）を記憶する部分である。なお、半省電力モードの詳細については後述する。
【００６５】
＜携帯端末１の処理の具体例＞
次に、図１１および図１２に基づき、この発明の実施形態３に係る携帯端末１の処理の具体例について説明する。
なお、図１１および図１２のステップＳ３１〜Ｓ３３，Ｓ３５，Ｓ３７〜Ｓ４０，Ｓ４９およびＳ５０の処理は、それぞれ図３のステップＳ１〜Ｓ１０と同一であるため、説明を省略する。
ここでは、図３に記載のないステップＳ３４，Ｓ３６およびＳ４１〜Ｓ４８の処理について説明する。
【００６６】
ステップＳ３３において、無効入力時待機時間Ｔ２をクロック装置６００に設定した後（ステップＳ３３）、中央処理装置１００は、続くステップＳ３４において、サブクロック装置６１０を無効にする（ステップＳ３４）。
【００６７】
次に、ステップＳ３５において、有効キーが入力された場合（ステップＳ３５の判定がＹｅｓの場合）、中央処理装置１００は、ステップＳ３６において、半省電力モード待機時間Ｔ３を、サブクロック装置６１０に設定する（ステップＳ３６）。
【００６８】
次に、ステップＳ３８において、指定された処理を実行した後（ステップＳ３８）、中央処理装置１００は、続くステップＳ４１において、指定された処理が完了したか否かを判定する（ステップＳ４１）。
指定された処理が完了した場合（ステップＳ４１の判定がＹｅｓの場合）、中央処理装置１００は、ステップＳ４２において、サブクロック装置６１０を無効にする（ステップＳ４２）。その後、中央処理装置１００は、ステップＳ４９の判定をおこなう（ステップＳ４９）。
一方、指定された処理が完了していない場合（ステップＳ４１の判定がＮｏの場合）、中央処理装置１００は、ステップＳ４３において、サブクロック装置６１０から通知があったか否かを判定する（ステップＳ４３）。
【００６９】
次に、ステップＳ４３において、サブクロック装置６１０から通知があった場合（ステップＳ４３の判定がＹｅｓの場合）、中央処理装置１００は、ステップＳ４４において、クロック装置６００を一時停止し（ステップＳ４４）、続くステップＳ４５において、半省電力モードに移行する（ステップＳ４５）。その後、中央処理装置１００は、ステップＳ４６の判定をおこなう（ステップＳ４６）。
なお、半省電力モードの詳細については、後述する。
一方、サブクロック装置６１０から通知がない場合（ステップＳ４３の判定がＮｏの場合）、中央処理装置１００は、ステップＳ４３の判定を繰り返す（ステップＳ４３）。
【００７０】
次に、ステップＳ４６において、中央処理装置１００は、指定された処理が完了したか否かを判定する（ステップＳ４６）。
指定された処理が完了した場合（ステップＳ４６の判定がＹｅｓの場合）、中央処理装置１００は、ステップＳ４７において、携帯端末１を半省電力モードから復帰させ（ステップＳ４７）、続くステップＳ４８において、クロック装置６００を再開する（ステップＳ４８）。
一方、指定された処理が完了していない場合（ステップＳ４６の判定がＮｏの場合）、中央処理装置１００は、ステップＳ４６の判定を繰り返す（ステップＳ４６）。
【００７１】
＜有効キーが入力された場合の処理＞
図１３は、有効キーが入力された場合の処理を示す。
なお、図１３（Ａ）および（Ｄ）の処理は、それぞれ図６（Ａ）および（Ｃ）の操作と同一であるため、詳細な説明を省略する。
ここでは、図６に記載のない図１３（Ｂ）の処理について説明する。
【００７２】
図１３（Ａ）に示すように、有効キー（照会ボタン５９０）を入力した後、半省電力モード待機時間Ｔ３を経過しても、サーバー９００から商品コードに対応する商品の商品名や在庫数が返送されず、処理が完了しない場合、図１３（Ｂ）に示すように、中央処理装置１００は、携帯端末１を半省電力モードに移行させる。
【００７３】
半省電力モードに移行したとき、中央処理装置１００は、表示部５２０の更新動作を停止させ、ユーザーが表示内容を確認できる最低レベルにまでバックライト部５３０の輝度を下げる。
【００７４】
なお、半省電力モードの最中に電源キー４２０または有効キーが入力された場合、中央処理装置１００は、携帯端末１を半省電力モードから復帰させる。そして、電源キー４２０または有効キーが入力された時点から半省電力モード待機時間Ｔ３を経過してもサーバーから返送がない場合、中央処理装置１００は、再び半省電力モードに移行させる。
一方、半省電力モードの最中に無効キーが入力された場合、中央処理装置１００は、携帯端末１を半省電力モードから復帰させない。
【００７５】
次に、図１３（Ｃ）に示すように、半省電力モードの最中にサーバー９００から商品名「缶コーヒー」および在庫数「８８」が返送されて、処理が完了したとき、中央処理装置１００は、バックライト部５３０の輝度を元に戻し、表示部５２０の更新動作を再開する。
【００７６】
最後に、図１３（Ｄ）に示すように、有効キーを入力した時点から有効入力時待機時間Ｔ１と半省電力モード時間Ｔ４を合わせた時間の経過後に、中央処理装置１００は、携帯端末１を省電力モードに移行させる。半省電力モード時間Ｔ４を合わせるのは、半省電力モードの間、クロック装置６００が一時停止しているためである。
具体例として、有効入力時待機時間Ｔ１を６０秒、半省電力モード待機時間Ｔ３を１秒、サーバー９００からデータが返送されるまでの処理時間ＴＰを１０秒とする。
このとき、携帯端末１は、図１３（Ａ）の照会ボタンを入力してから半省電力モード待機時間Ｔ３（＝１秒）後に、図１３（Ｂ）に示すように、バックライト部５３０の輝度を下げて半省電力モードに移行する。
その後、照会ボタンを入力してからＴＰ（＝１０秒）後に、サーバー９００からデータが返送されると、携帯端末１は、バックライト部５３０の輝度を元に戻し、商品名「缶コーヒー」および在庫数「８８」が表示部５２０に表示する。
それゆえ、半省電力モード時間Ｔ４は、９秒（＝１０秒−Ｔ３）となる。
【００７７】
半省電力モード時間Ｔ４（＝９秒）の間、クロック装置６００は一時停止しているため、携帯端末１が半省電力モードから復帰した時点のクロック装置６００の経過時間は、携帯端末１が半省電力モードに移行するまでの半省電力モード待機時間Ｔ３（＝１秒）である。
それゆえ、半省電力モードから復帰した時点から５９秒経過したとき、クロック装置６００の経過時間は、有効入力時待機時間Ｔ１（＝Ｔ３＋５９秒＝６０秒）を経過する。
したがって、クロック装置６００は、照会ボタンを入力した時点から６９秒（＝Ｔ３＋Ｔ４＋５９秒）後に、図１３（Ｄ）の省電力モードに移行することになる。
【００７８】
このようにして、有効キーが入力された後、アプリケーションの処理時間が長い場合、ユーザーが表示内容を確認できる最低レベルにまでバックライト部５３０の輝度を下げるため、ある程度の省電力効果が期待でき、かつ、処理待ち状態も表示内容を確認できるため、利便性も高い携帯端末１を実現できる。
【００７９】
（その他の実施形態）
１．実施形態１において、タッチパネル部５１０からの入力に限らず、テンキー４５０からの入力を受け付けたときも、この発明の省電力モードへの移行処理を適用してもよい。（実施形態４）
このようにすれば、タッチパネル部５１０に限らず、物理的なテンキー４５０を用いた入力においても、電力消費を抑え、かつ、利便性の高い端末装置１０を実現することができる。
【００８０】
２．実施形態１において、携帯端末１に限らず、据え置き型の端末装置１０であってもよい。（実施形態５）
このようにすれば、デスクトップ型のＰＣやプリンタ等の端末装置１０においても、電力消費を抑え、かつ、利便性の高い端末装置１０を実現することができる。
【００８１】
以上に述べたように、
（ｉ）この発明の端末装置は、外部からの入力を受け付ける操作部と、前記入力に対するアプリケーションの処理結果を表示する表示部と、前記操作部が前記入力を受け付けた後、予め定められた待機時間の経過後に前記表示部のバックライトを消灯して省電力モードに移行させる省電力モード移行部と、前記操作部、前記表示部および前記省電力モード移行部を制御する制御部とを備え、前記制御部は、前記表示部にアプリケーションの処理結果を表示すべき有効な入力を前記操作部が受け付けた場合は、前記有効な入力を前記操作部が受け付けた時点から予め定められた有効入力時待機時間を経過したとき、前記省電力モード移行部に前記省電力モードに移行させ、一方、前記有効な入力以外の無効な入力を前記操作部が受け付けた場合は、前記無効な入力を前記操作部が受け付けた時点から予め定められた無効入力時待機時間を経過したとき、前記省電力モード移行部に前記省電力モードに移行させ、前記有効入力時待機時間は、前記無効入力時待機時間よりも長いことを特徴とする。
また、この発明の省電力制御方法は、表示部にアプリケーションの処理結果を表示すべき有効な入力を操作部が受け付けた場合は、前記有効な入力を前記操作部が受け付けた時点から予め定められた有効入力時待機時間を経過したとき、前記表示部のバックライトを消灯して省電力モードに移行し、一方、前記有効な入力以外の無効な入力を前記操作部が受け付けた場合は、前記無効な入力を前記操作部が受け付けた時点から予め定められた無効入力時待機時間を経過したとき、前記省電力モードに移行し、前記有効入力時待機時間は、前記無効入力時待機時間よりも長いことを特徴とする。
【００８２】
この発明において、「端末装置」は、操作部のキー入力等の操作を通じてアプリケーションに指令を与え、各種の情報を処理し、処理結果をディスプレイに表示する装置である。端末装置としては、パーソナルコンピュータ（ＰＣ）やプリンタ等の据え置き型の端末装置に限られず、スマートフォン等の携帯電話、ＰＨＳ、ＰＤＡ、タブレット端末、携帯型ナビゲーション装置、携帯音楽プレーヤーなどの携帯型の端末装置であってもよい。
「アプリケーション」は、端末装置内部の記憶装置に記憶されたアプリケーションに限られず、ネットワーク上のサーバー等に記憶されたアプリケーションであってもよい。
「省電力モード」は、キー入力等の操作が一定時間おこなわれなかった場合、バックライトを消灯して休止モードやサスペンドモード等の電力モードに移行することによって消費電力をなるべく抑え、端末装置の省電力を図るモードである。
「有効な入力」は、入力に対しアプリケーションが処理をおこない、その処理の結果を表示部に表示させるような入力である。例えば、商品の在庫数を照会するための入力キーの操作や、検索のために所定のキーワードを送信する操作などが挙げられる。
「無効な入力」は、「有効な入力」以外の入力である。「無効な入力」としては、アプリケーションが処理をおこなわないような入力であり、例えば、キー入力の場合、アプリケーションに対する指令と無関係なキーを入力する行為、また、タッチパネルの場合、操作用のアイコンが存在しない領域（例えば、アイコンの間や表示画面の端や隅の部分）を指先やペン先で入力する行為などが挙げられる。
また、アプリケーションが処理をおこなうような入力をした場合でも、その処理の結果を表示部に表示しないような入力は、「無効な入力」となる。例えば、所定のデータを送信確認することなく外部に送信する行為などが挙げられる。
【００８３】
さらに、この発明の好ましい態様について説明する。
（ii）この発明による端末装置において、前記制御部は、前記有効な入力を前記操作部が受け付けた後、前記無効な入力を前記操作部が受け付けた場合は、前記有効な入力を前記操作部が受け付けた時点から予め定められた有効入力時待機時間を経過したとき、前記省電力モード移行部に前記省電力モードに移行させるものであってもよい。
【００８４】
このようにすれば、ユーザーが有効な入力をした後で間違って無効な入力をしてしまった場合でも、有効な入力時を基準として省電力モードに移行するため、ユーザーは必要な情報を十分に確認することができ、利便性が高い端末装置を実現できる。
【００８５】
（iii）この発明による端末装置において、前記制御部は、前記有効な入力を前記操作部が受け付けた後、前記無効な入力を前記操作部が受け付けた場合は、前記無効な入力を前記操作部が受け付けた時点から予め定められた無効入力時待機時間を経過したとき、前記省電力モード移行部に前記省電力モードに移行させるものであってもよい。
【００８６】
このようにすれば、ユーザーが有効な入力をした後でかばんなどに端末装置をしまいこんだ場合、無効な入力時から短時間で省電力モードに移行するため、かばんに端末装置の入力キーが接触して省電力モードへの移行が妨げられることにより、長時間画面が消えずに無駄に電池を消耗してしまうことを防止する端末装置を実現できる。
【００８７】
（iv）この発明による端末装置において、前記制御部は、前記有効な入力を前記操作部が受け付けた場合において、前記有効な入力を前記操作部が受け付けた時点から予め定められた半省電力モード待機時間までの間に、前記表示部に前記処理結果が表示されないときは、前記省電力モード移行部に前記バックライトの輝度を前記表示部の表示内容が確認できる予め定められた値に下げて半省電力モードに移行させ、その後、前記表示部に前記処理結果が表示されたとき、前記省電力モード移行部に前記バックライトの輝度を元に戻して通常電力モードに移行させるものであってもよい。
【００８８】
このようにすれば、効キーが入力された後、アプリケーションの処理時間が長い場合、ユーザーが表示内容を確認できるレベルにまでバックライト部の輝度を下げるため、ある程度の省電力効果が期待でき、かつ、処理待ち状態も表示内容を確認できるため、利便性も高い端末装置を実現できる。
【００８９】
「前記表示部に前記処理結果が表示されないとき」は、例えば、通信品質が悪い環境の場合は、通信待ちの段階であり、また、サーバーの処理が遅い場合は、カーソルが一時的な待機状態を示すマーク（例えば、砂時計など）に変化する処理待ちの段階である。
「半省電力モード」は、表示部の更新動作を停止させ、予め定められたレベルにまでバックライト部の輝度を下げることによって消費電力をなるべく抑え、省電力を図るとともに、ユーザーが表示内容を確認できるようにすることによってユーザーの利便性をも確保するモードである。
【００９０】
（ｖ）この発明による端末装置において、前記表示部は、タッチパネルを備え、前記入力は、前記タッチパネルによる入力を含むものであってもよい。
【００９１】
このようにすれば、省電力効果を期待でき、かつ、利便性の高いタッチパネル機能を有する端末装置を実現できる。
【００９２】
（vi）この発明による端末装置において、前記操作部は、物理的な入力キーを備え、前記入力は、前記入力キーによる入力を含むものであってもよい。
【００９３】
このようにすれば、省電力効果を期待でき、かつ、利便性の高い物理的な入力キーを備えた端末装置を実現できる。
なお、端末装置付属の入力キーに限られず、外付けキーボードやマウス等の入力キーであってもよい。また、Ｂｌｕｅｔｏｏｔｈ（登録商標）等で無線接続されたキーボードやマウス等の入力キーであってもよい。また、入力キーは、押しボタンに限られず、レバーやボリューム等のつまみであってもよい。
【００９４】
（vii）この発明による端末装置において、前記端末装置は、携帯型の端末装置であってもよい。
【００９５】
このようにすれば、省電力効果により電池の消費量を抑えることができ、かつ、利便性が高い携帯型の端末装置を実現できる。
【００９６】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００９７】
１：携帯端末、    ２：従来の携帯端末、    １０：端末装置、    １００：中央処理装置、    ２００：主記憶装置、    ２１０：制御プログラム記憶部、    ２２０：表示ビットマップ記憶部、    ２３０：有効キー記憶部、    ２４０：有効入力時待機時間記憶部、    ２５０：無効入力時待機時間記憶部、    ２６０：待ち時間記憶部、    ２７０：有効入力時優先モード記憶部、    ３００：通信装置、    ４００：キーボード装置、    ４１０：ＴＲＧキー、    ４２０：電源キー、    ４３０：ＯＫキー、    ４４０：カーソルキー、    ４５０：テンキー、    ５００：表示装置、    ５１０：タッチパネル部、    ５２０：表示部、    ５３０：バックライト部、    ５６０：商品コード表示部、    ５７０：在庫数表示部、    ５８０：商品名表示部、    ５９０：照会キー、    ６００：クロック装置、    ６１０：サブクロック装置、    ７００：バーコードリード装置、    ８００：電源装置、    ９００：サーバー、    Ｔ１：有効入力時待機時間、    Ｔ２：無効入力時待機時間、    Ｔ３：半省電力モード待機時間、    Ｔ４：半省電力モード時間、    ＴＰ：処理時間
【図１】
0006329868.tif 000002
【図２】
0006329868.tif 000003
【図３】
0006329868.tif 000004
【図４】
0006329868.tif 000005
【図５】
0006329868.tif 000006
【図６】
0006329868.tif 000007
【図７】
0006329868.tif 000008
【図８】
0006329868.tif 000009
【図９】
0006329868.tif 000010
【図１０】
0006329868.tif 000011
【図１１】
0006329868.tif 000012
【図１２】
0006329868.tif 000013
【図１３】
0006329868.tif 000014